(57)【要約】【課題】引き抜き時におけるゲージ部の油面レベル確認範囲へのオイルの付着を防止して油面レベルをゲージ部の両面で正確に測定し得るようにしたオイルレベルゲージを提供する。【解決手段】ガイド管４を通しオイルパン内に挿し入れて油面レベルを測定するためのオイルレベルゲージ１０に関し、可撓性を有する帯板材からなるゲージ部３の油面レベル確認範囲９を避けた上側部位に、該上側部位における長手方向に所要間隔を隔てた二箇所を捩じることで前記ガイド管４の内壁と干渉して前記油面レベル確認範囲９を前記ガイド管４の内壁から離間せしめる干渉部１１を形成する。【選択図】図５
2008216104.tif 000002
【特許請求の範囲】
【請求項１】
ガイド管を通しオイルパン内に挿し入れて油面レベルを測定するためのオイルレベルゲージであって、可撓性を有する帯板材からなるゲージ部の油面レベル確認範囲を避けた上側部位に、該上側部位における長手方向に所要間隔を隔てた二箇所を捩じることで前記ガイド管の内壁と干渉して前記油面レベル確認範囲を前記ガイド管の内壁から離間せしめる干渉部を形成したことを特徴とするオイルレベルゲージ。
【請求項２】
干渉部の板面が油面レベル確認範囲の板面に対し略直角となるように捩じられていることを特徴とする請求項１に記載のオイルレベルゲージ。
【発明の詳細な説明】
【技術分野】
【０００１】
本発明は、オイルレベルゲージに関するものである。
【背景技術】
【０００２】
一般的に、自動車のエンジンのクランクケースには、ガイド管を通してオイルパンまでオイルレベルゲージが挿し入れられるようになっており、このオイルレベルゲージを適宜に引き抜いてオイルパン内の油面レベルを測定するようにしている。
【０００３】
図６に示す如く、この種のオイルレベルゲージ１は、可撓性の帯板材により形成されてオイルパン２内の油面レベル下に浸漬されるゲージ部３と、該ゲージ部３の上端部に接続されてガイド管４内をオイルパン２まで延びる可撓性のロッド部５と、該ロッド部５の上側に備えられて前記ガイド管４の上部開口を塞ぐキャップ部６と、該キャップ部６の上側に備えられて作業者が手で摘むための把持部７とにより構成されている。
【０００４】
そして、エンジンフードを開けてエンジンの保守点検作業を行う際に、オイルレベルゲージ１の把持部７を摘んでゲージ部３をガイド管４から引き出すと、このゲージ部３の油面レベル下に浸漬していた部分がオイル８に濡れた状態で引き出されるので、そのオイル８で濡れた部分の高さ位置を視認することでオイルパン２内の油面レベルを確認できる。
【０００５】
ここで、オイルレベルゲージ１のゲージ部３には、車型に応じたオイルパン２の最高油面レベルと最低油面レベルとを示すロアレベル確認穴３ａとアッパレベル確認穴３ｂとが穿設され、このロアレベル確認穴３ａとアッパレベル確認穴３ｂとに挟まれた領域が油面レベル確認範囲９となっており、該油面レベル確認範囲９でオイル８で濡れた部分の高さ位置が視認されるようになっている。
【０００６】
尚、この種のオイルレベルゲージに関連する先行技術文献情報としては下記の特許文献１等がある。
【特許文献１】実開平１−１０２７２５号公報
【発明の開示】
【発明が解決しようとする課題】
【０００７】
しかしながら、図７に示す如く、このようなオイルレベルゲージ１では、ガイド管４がレイアウト上の制約から紆余曲折している場合があり、このようなガイド管４に対してゲージ部３を引き抜くと、該ゲージ部３の片面がガイド管４の曲がり部分で内壁に接触しながら移動し、ゲージ部３の片面の全域に亘りガイド管４内の余分なオイル８（図６参照）が付着して視認性が悪くなり、ゲージ部３の残りの片面でしか明瞭な油面レベルの視認を行うことができなくなるため、油面レベルの測定が不正確になるという問題があった。
【０００８】
即ち、オイルレベルゲージ１をガイド管４から引き抜いて油面レベルの測定を行う際には、オイルレベルゲージ１を一旦引き抜いてゲージ部３のオイル８をタオル等で拭き取ってから再びガイド管４内に挿し入れ、二度目に引き抜いたオイルレベルゲージ１のゲージ部３を視認して油面レベルを測定するようにしているが、最初の引き抜きの際にゲージ部３から垂れ落ちるオイル８がガイド管４の内壁に付着してしまうので、このガイド管４内の余分なオイル８が二度目の引き抜きの際にゲージ部３の片面に付着してしまっていた。
【０００９】
そして、ゲージ部３の両面で同じ油面レベルが確認できれば、その測定結果は高い信頼性を持つものとなるが、片面だけでしか視認できない場合は、その測定結果が真に油面レベルを示すものなのか、引き抜き時にガイド管４内の余分なオイルが付着した影響を受けたものなのかが不正確となり、信頼性の高い測定結果を得ることができなくなってしまう。
【００１０】
本発明は上述の実情に鑑みてなしたもので、引き抜き時におけるゲージ部の油面レベル確認範囲へのオイルの付着を防止して油面レベルをゲージ部の両面で正確に測定し得るようにしたオイルレベルゲージを提供することを目的とする。
【課題を解決するための手段】
【００１１】
本発明は、ガイド管を通しオイルパン内に挿し入れて油面レベルを測定するためのオイルレベルゲージであって、可撓性を有する帯板材からなるゲージ部の油面レベル確認範囲を避けた上側部位に、該上側部位における長手方向に所要間隔を隔てた二箇所を捩じることで前記ガイド管の内壁と干渉して前記油面レベル確認範囲を前記ガイド管の内壁から離間せしめる干渉部を形成したことを特徴とするものである。
【００１２】
而して、このようにすれば、オイルレベルゲージのゲージ部をガイド管内から抜き出す際に、ゲージ部の上側部位に形成された干渉部がガイド管の内壁を擦りながら上方へ移動することになる。
【００１３】
この際、ガイド管の内壁のオイルが干渉部上側の捩じり部分により先行して掻き取られ、そのまま干渉部の全域に付着して貯溜され且つ干渉部下側の捩じり部分により油面レベル確認範囲へ垂れないよう保持される一方、干渉部に続くゲージ部の油面レベル確認範囲がガイド管の内壁から離間しながら上方へ移動するので、油面レベル確認範囲の表裏何れの面に対してもガイド管内の余分なオイルが付着し難くなる。
【００１４】
また、本発明においては、干渉部の板面が油面レベル確認範囲の板面に対し略直角となるように捩じられていることが好ましく、このようにした場合が最も効果的に油面レベルへのオイルの付着を防ぐことが可能となる。
【発明の効果】
【００１５】
上記した本発明のオイルレベルゲージによれば、引き抜き時におけるゲージ部の油面レベル確認範囲へのオイルの付着を防止することができるので、ゲージ部の両面で油面レベルを正確に測定することができ、その測定結果の信頼性を従来よりも大幅に向上することができるという優れた効果を奏し得る。
【発明を実施するための最良の形態】
【００１６】
以下本発明の実施の形態を図面を参照しつつ説明する。
【００１７】
図１〜図５は本発明を実施する形態の一例を示すもので、図１は本発明を実施する形態の一例を示す概略図、図２は図１のＩＩ−ＩＩ方向の矢視図、図３は図１のＩＩＩ−ＩＩＩ矢視の断面図、図４は図１のＩＶ−ＩＶ方向の矢視図、図５は図１の形態例の引き抜き時の状態を示す断面図であり、前述した図６及び図７の従来例と同一の符号を付した部分は同一物を表わしている。
【００１８】
図１〜図５に示す如く、本形態例においては、先の図６及び図７の従来例と略同様に構成したオイルレベルゲージ１０に関し、ゲージ部３の油面レベル確認範囲９を避けた上側部位に、該上側部位における長手方向に所要間隔を隔てた二箇所を捩じることでガイド管４（図５参照）の内壁と干渉して前記油面レベル確認範囲９を前記ガイド管４の内壁から離間せしめる干渉部１１（図５参照）を形成するようにしている。
【００１９】
即ち、ここに図示している例では、上側の捩じり部分１２と下側の捩じり部分１３との間に干渉部１１が形成されていて、しかも、上下の各捩じり部分１２，１３が同じ捩じり方向に約９０゜ずつ捩じられており（図３及び図４参照）、この干渉部１１の板面が油面レベル確認範囲９の板面に対し略直角となるようにしてある。
【００２０】
而して、このようにオイルレベルゲージ１０を構成すれば、オイルレベルゲージ１０のゲージ部３をガイド管４内から抜き出す際に、ゲージ部３の上側部位に形成された干渉部１１がガイド管４の内壁を擦りながら上方へ移動することになるが、この際に、ガイド管４の内壁のオイル８（図６参照）が干渉部１１上側の捩じり部分１２により先行して掻き取られ、そのまま干渉部１１の全域に付着して貯溜され且つ干渉部１１下側の捩じり部分１３により油面レベル確認範囲９へ垂れないよう保持される一方、干渉部１１に続くゲージ部３の油面レベル確認範囲９がガイド管４の内壁から離間しながら上方へ移動するので、油面レベル確認範囲９の表裏何れの面に対してもガイド管４内の余分なオイル８が付着し難くなる。
【００２１】
尚、油面レベル確認範囲９の表裏の面にガイド管４内の余分なオイル８が付着し難くなる作用は、本形態例に示している如く、干渉部１１の板面が油面レベル確認範囲９の板面に対し略直角となるように捩じられている場合に最も効果的に現れることが本発明者らによる実験結果から確認されている。
【００２２】
従って、上記形態例によれば、引き抜き時におけるゲージ部３の油面レベル確認範囲９へのオイル８の付着を防止することができるので、ゲージ部３の両面で油面レベルを正確に測定することができ、その測定結果の信頼性を従来よりも大幅に向上することができる。
【００２３】
尚、本発明のオイルレベルゲージは、上述の形態例にのみ限定されるものではなく、本発明の要旨を逸脱しない範囲内において種々変更を加え得ることは勿論である。
【図面の簡単な説明】
【００２４】
【図１】本発明を実施する形態の一例を示す概略図である。
【図２】図１のＩＩ−ＩＩ方向の矢視図である。
【図３】図１のＩＩＩ−ＩＩＩ矢視の断面図である。
【図４】図１のＩＶ−ＩＶ方向の矢視図である。
【図５】図１のオイルレベルゲージの引き抜き時の状態を示す断面図である。
【図６】従来例を示す断面図である。
【図７】図６のオイルレベルゲージの引き抜き時の状態を示す断面図である。
【符号の説明】
【００２５】
２  オイルパン
３  ゲージ部
４  ガイド管
８  オイル
９  油面レベル確認範囲
１０  オイルレベルゲージ
１１  干渉部
【図１】
2008216104.tif 000003
【図２】
2008216104.tif 000004
【図３】
2008216104.tif 000005
【図４】
2008216104.tif 000006
【図５】
2008216104.tif 000007
【図６】
2008216104.tif 000008
【図７】
2008216104.tif 000009